(57)【要約】【課題】ユーザが複数の画像から合成画像を生成する際の画像を選択する負担を軽減させること。【解決手段】撮像装置１は、画像取得部５１と、画像選択部５５と、画像編集部５６と、を備える。画像取得部５１は、複数の画像を取得する。画像選択部５５は、画像取得部５１により取得された複数の画像の使用付帯情報に基づいて、複数の画像から所定数の画像を選択する。画像編集部５６は、画像選択部５５により選択された所定数の画像から、新たな画像を生成する。【選択図】図３
2016058923.tif 000002
【特許請求の範囲】
【請求項１】
複数の画像を取得する画像取得手段と、
前記画像取得手段により取得された複数の画像の使用に関する付帯情報に基づいて、前記複数の画像から所定数の画像を選択する選択手段と、
前記選択手段により選択された所定数の画像から、新たな画像を生成する生成手段と、
を備えたことを特徴とする画像処理装置。
【請求項２】
前記画像取得手段により取得された複数の画像の付帯情報を評価する評価手段を更に備え、
前記選択手段は、前記評価手段による評価結果に基づいて、前記複数の画像から所定数の画像を選択する、
ことを特徴とする請求項１に記載の画像処理装置。
【請求項３】
前記評価手段は、前記複数の画像の各々が過去に再生された回数を前記付帯情報として評価する、
ことを特徴とする請求項２に記載の画像処理装置。
【請求項４】
前記評価手段は、前記複数の画像の各々が過去に再生された時間の長さを前記付帯情報として評価する、
ことを特徴とする請求項２に記載の画像処理装置。
【請求項５】
前記複数の画像の各々の再生時に当該画像に対するユーザ操作を検出したか否かを判定する判定手段を更に備え、
前記評価手段は、前記判定手段により前記ユーザ操作を検出したと判定された画像の再生された時間の長さを評価する、
ことを特徴とする請求項４に記載の画像処理装置。
【請求項６】
前記複数の画像から、外部操作に基づき、特定の情報を付加する付加手段を更に備え、
前記評価手段は、前記付加手段により特定の情報を付加された画像を前記付加手段により特定の情報を付加されない画像と比べて高く評価する、
ことを特徴とする請求項２から５の何れか１項に記載の画像処理装置。
【請求項７】
前記複数の画像の夫々に対応付けられた複数の付帯情報に基づいて、前記複数の画像を複数のグループに分別する分別手段を更に備え、
前記選択手段は、前記分別手段により分別された前記複数のグループの各々から所定数の画像を選択する、
ことを特徴とする請求項１から６の何れか１項に記載の画像処理装置。
【請求項８】
前記分別手段は、前記複数の画像の撮影日時及び撮影場所の何れかに基づいて、前記複数の画像を相異なるグループに分別する、
ことを特徴とする請求項７に記載の画像処理装置。
【請求項９】
前記複数の画像に関連付けられた複数の撮影日時から特定の撮影日時の範囲を指定する第一の指定手段を更に備え、
前記分別手段は、前記第一の指定手段により指定された特定の撮影日時の範囲と、前記複数の付帯情報とに基づいて、前記複数の画像を複数のグループに分別する、
ことを特徴とする請求項７又は８に記載の画像処理装置。
【請求項１０】
前記撮影日時の範囲の単位を選択する単位選択手段を更に備え、
前記第一の指定手段は、
前記単位選択手段により選択された単位における複数の期間を前記撮影日時の範囲として指定する、
ことを特徴とする請求項９に記載の画像処理装置。
【請求項１１】
前記複数の画像に関連付けられた複数の撮影場所から特定の撮影場所の範囲を指定する第二の指定手段を更に備え、
前記分別手段は、前記第二の指定手段により指定された特定の撮影場所の範囲と、前記複数の付帯情報とに基づいて、前記複数の画像を複数のグループに分別する、
ことを特徴とする請求項７から１０の何れか１項に記載の画像処理装置。
【請求項１２】
前記撮影場所の範囲の単位を選択する単位選択手段を更に備え、
前記第二の指定手段は、
前記単位選択手段により選択された単位における複数の地域又は国を前記撮影場所の範囲として指定する、
ことを特徴とする請求項１１に記載の画像処理装置。
【請求項１３】
前記画像取得手段は、インターネット、又は携帯型記憶媒体の何れかから前記複数の画像を取得する、
ことを特徴とする請求項１から１２の何れか１項に記載の画像処理装置。
【請求項１４】
前記生成手段は、前記選択手段により選択された所定数の画像の各々が複数の領域に反映された静止画像を生成する、
ことを特徴とする請求項１から１３の何れか１項に記載の画像処理装置。
【請求項１５】
前記生成手段は、前記選択手段により選択された所定数の画像から、動画像を生成する、
ことを特徴とする請求項１から１４の何れか１項に記載の画像処理装置。
【請求項１６】
複数の画像を取得する画像取得ステップと、
前記画像取得ステップにより取得された複数の画像の使用に関する付帯情報に基づいて、前記複数の画像から所定数の画像を選択する選択ステップと、
前記選択ステップにより選択された所定数の画像から、新たな画像を生成する生成ステップと、
を含むことを特徴とする画像処理方法。
【請求項１７】
コンピュータを、
複数の画像を取得する画像取得手段、
前記画像取得手段により取得された複数の画像の使用に関する付帯情報に基づいて、前記複数の画像から所定数の画像を選択する選択手段、
前記選択手段により選択された所定数の画像から、新たな画像を生成する生成手段、
として機能させることを特徴とするプログラム。
【発明の詳細な説明】
【技術分野】
【０００１】
本発明は、画像を生成する画像処理装置、画像処理方法及びプログラムに関する。
【背景技術】
【０００２】
従来、複数の画像から任意に複数の画像を選択し、当該複数の画像を合成するという手法が行われている（特許文献１を参照）。
【先行技術文献】
【特許文献】
【０００３】
【特許文献１】特開２０００−０４３３６３号公報
【発明の概要】
【発明が解決しようとする課題】
【０００４】
しかしながら、上述した特許文献１に記載された技術では、任意に個別の画像を選択する必要があるため、選択する画像の量によっては、ユーザへの負担が大きくなる虞があった。
【０００５】
本発明は、このような状況に鑑みてなされたものであり、複数の画像から合成画像を生成する際の画像を選択するユーザの負担を軽減させることを目的とする。
【課題を解決するための手段】
【０００６】
上記目的を達成するため、本発明の一態様の画像処理装置は、
複数の画像を取得する画像取得手段と、
前記画像取得手段により取得された複数の画像の使用に関する付帯情報に基づいて、前記複数の画像から所定数の画像を選択する選択手段と、
前記選択手段により選択された所定数の画像から、新たな画像を生成する生成手段と、
を備えたことを特徴とする。
【発明の効果】
【０００７】
本発明によれば、複数の画像から合成画像を生成する際の画像を選択するユーザの負担を軽減させることができる。
【図面の簡単な説明】
【０００８】
【図１】本発明の画像処理装置の一実施形態に係る撮像装置のハードウェアの構成を示すブロック図である。
【図２】本実施形態において生成される新たな画像を説明するための模式図である。
【図３】図１の撮像装置の機能的構成のうち、画像生成処理を実行するための機能的構成を示す機能ブロック図である。
【図４】図３の機能的構成を有する図１の撮像装置が実行する画像生成処理の流れを説明するフローチャートである。
【図５】画像生成処理のうち、グループ分別処理の流れを説明するフローチャートである。
【図６】画像生成処理のうち、画像評価処理の流れを説明するフローチャートである。
【図７】画像生成処理のうち、画像選択処理の流れを説明するフローチャートである。
【図８】画像生成処理のうち、画像編集処理の流れを説明するフローチャートである。
【図９】本実施形態において生成される新たな画像の例を説明するための模式図である。
【発明を実施するための形態】
【０００９】
以下、本発明の実施形態について、図面を用いて説明する。
【００１０】
図１は、本発明の画像処理装置の一実施形態に係る撮像装置のハードウェアの構成を示すブロック図である。
撮像装置１は、例えばデジタルカメラとして構成される。
【００１１】
撮像装置１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、撮像部１６と、入力部１７と、出力部１８と、記憶部１９と、通信部２０と、ドライブ２１と、を備えている。
【００１２】
ＣＰＵ１１は、ＲＯＭ１２に記録されているプログラム、又は、記憶部１９からＲＡＭ１３にロードされたプログラムに従って各種の処理を実行する。
【００１３】
ＲＡＭ１３には、ＣＰＵ１１が各種の処理を実行する上において必要なデータ等も適宜記憶される。
【００１４】
ＣＰＵ１１、ＲＯＭ１２及びＲＡＭ１３は、バス１４を介して相互に接続されている。このバス１４にはまた、入出力インターフェース１５も接続されている。入出力インターフェース１５には、撮像部１６、入力部１７、出力部１８、記憶部１９、通信部２０及びドライブ２１が接続されている。
【００１５】
撮像部１６は、図示はしないが、光学レンズ部と、イメージセンサと、を備えている。
【００１６】
光学レンズ部は、被写体を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
光学レンズ部にはまた、必要に応じて、焦点、露出、ホワイトバランス等の設定パラメータを調整する周辺回路が設けられる。
【００１７】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部１６の出力信号として出力される。
このような撮像部１６の出力信号を、以下、「撮像画像のデータ」と呼ぶ。撮像画像のデータは、ＣＰＵ１１や図示しない画像処理部等に適宜供給される。
【００１８】
入力部１７は、各種釦等で構成され、ユーザの指示操作に応じて各種情報を入力する。
出力部１８は、ディスプレイやスピーカ等で構成され、画像や音声を出力する。
記憶部１９は、ハードディスク或いはＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
通信部２０は、インターネットを含むネットワークを介して他の装置（図示せず）との間で行う通信を制御する。
【００１９】
ドライブ２１には、磁気ディスク、光ディスク、光磁気ディスク、或いは半導体メモリ等よりなる、リムーバブルメディア３１が適宜装着される。ドライブ２１によってリムーバブルメディア３１から読み出されたプログラムは、必要に応じて記憶部１９にインストールされる。また、リムーバブルメディア３１は、記憶部１９に記憶されている画像のデータ等の各種データも、記憶部１９と同様に記憶することができる。
【００２０】
このように構成される撮像装置１では、複数の画像群から選択した画像に基づいて、１枚の新たな画像を生成する機能を有する。
【００２１】
ここで、本実施形態において生成される新たな画像について説明する。
【００２２】
図２は、本実施形態において生成される新たな画像を説明するための模式図である。
撮像装置１は、図２に示すように、取得した複数の画像を複数のグループに分別し、分別された各グループに属する複数の画像を評価して各グループから評価別に、コラージュ画像の生成に用いる画像を選択する。選択した画像は、所定のレイアウトや大きさで画像の編集を行って、複数の画像を背景画像に無造作に合成したようなコラージュ画像を生成する。
【００２３】
本実施形態のコラージュ画像は、例えば、背景となる画像と共に選択された複数の画像を予め設定された大きさと位置に配置して構成される。本例では、見開いた書籍の上に無造作に置かれたように６枚の画像が配置され、各画像には撮影日時が対応付けられて表示される。
【００２４】
図３は、このような撮像装置１の機能的構成のうち、画像生成処理を実行するための機能的構成を示す機能ブロック図である。
画像生成処理とは、グループ分けをした複数の画像を評価し、グループ毎に高い評価の画像を選択して、当該選択された画像からコラージュ画像を生成するまで一連の処理をいう。
【００２５】
画像生成処理は、図３に示すように、ＣＰＵ１１において、画像取得部５１と、画像管理部５２と、画像分別部５３と、画像評価部５４と、画像選択部５５と、画像編集部５６と、が機能する。
【００２６】
また、記憶部１９の一領域には、画像記憶部７１と、画像情報記憶部７２と、編集情報記憶部７３とが設定される。
【００２７】
画像記憶部７１には、撮像部１６やインターネット等の外部から通信部２０を介して取得した画像や事前に生成された画像のデータが記憶される。
【００２８】
画像情報記憶部７２には、画像記憶部７１に記憶された画像の使用に関する付帯情報（以下、「使用情報」という。）が記憶される。「使用情報」とは、例えば、通信部２０を介してのＳＮＳ（Ｓｏｃｉａｌ  Ｎｅｔｗｏｒｋｉｎｇ  Ｓｅｒｖｉｃｅ）へのアップロードの有無や回数、出力部１８での再生の状況を含む情報である。なお、出力部１８での再生の状況とは、過去の再生履歴である再生の回数・再生した時間と、再生時の装置の状態を含む。また、再生時の装置の状態とは、ユーザが実際に視認していた蓋然性が高いことを示す状態であり、具体的には、例えば、視線検出や装置の姿勢検出を行って、表示画面に視線を向けている時間や画像の表示中の姿勢が正しい状態であるかを判断したり、ズーム操作等の再生時の筐体の操作状態等から判断したりする。また、画像情報記憶部７２は、画像記憶部７１に記憶された画像のＥＸＩＦ情報として記憶されている撮影日時や撮影場所（例えば、緯度・経度・標高のＧＰＳ情報や、当該ＧＰＳ情報から特定できる国・地域等）に関する情報を記憶する。
【００２９】
編集情報記憶部７３には、コラージュ画像の編集手法の情報、コラージュ画像に使用される背景画像となるフレームの情報、評価によって画像の配置を換えるか否かの情報等の編集に用いる情報が記憶される。なお、評価によって画像の配置を換えるか否かの情報は、予めユーザにより設定される。
【００３０】
画像取得部５１は、撮像部１６で撮像された画像やインターネット等の外部から通信部２０を介して取得された画像を複数取得する。そして、画像取得部５１は、取得された複数の画像を画像記憶部７１に記憶させる。
【００３１】
画像管理部５２は、画像取得部５１により取得された画像に対する当該取得後における閲覧や操作等を管理する。具体的には、画像管理部５２は、各画像に対して、通信部２０を介してのＳＮＳへのアップロードの有無や回数、出力部１８での再生の状況、入力部１７を介してのお気に入りの設定の有無を、画像情報記憶部７２に使用情報として記憶させて管理する。
【００３２】
画像分別部５３は、画像記憶部７１に記憶された複数の画像を複数のグループに分別する。具体的には、画像分別部５３は、各画像の使用情報を参照し、画像の撮影日時や撮影場所に基づいて画像記憶部７１に記憶される複数の画像を複数のグループに分別する。詳細には、画像分別部５３は、例えば、画像記憶部７１に記憶された複数の画像を撮影日時が近い画像同士、撮影場所の近い画像同士で複数のグループに分別する。
【００３３】
画像評価部５４は、画像分別部５３によって分別された複数のグループの各々に属する複数の画像を、グループ単位で評価する。具体的には、画像評価部５４は、画像情報記憶部７２に記憶される各画像の使用情報から、ＳＮＳ等へのアップロードの有無や回数、再生回数や再生時間（再生に関しては実際に視認していたことを示す装置の傾きや筐体の操作状態等を考慮）を参照して、評価する。即ち、画像評価部５４は、ＳＮＳ等へのアップロードが多いこと、再生回数や再生時間が多いことで画像に対して高い評価を行う。なお、画像の評価結果は、画像情報記憶部７２に記憶するように構成してもよい。
【００３４】
編集情報記憶部７３には、コラージュ画像の生成に係る画像の使用枚数、サイズ、配置、形状に関わる編集手法と、コラージュ画像に使用される背景画像となるフレームとが複数記憶されており、画像選択部５５は、その中から編集手法とフレームを任意に選択する。具体的には、画像選択部５５は、例えば、図２に示すように６枚の画像を使用して、縦横異なるサイズで配置し、背景画像となるフレームを選択し、サイズの大きい順や中央の配置の順に評価の高い画像を用いる編集手法を選択する。
また、画像選択部５５は、画像評価部５４による評価結果に基づいて、画像を選択する。具体的には、画像選択部５５は、グループ毎に評価の高い画像を選択する。
なお、上記の構成では、フレームと編集手法を別々に選択するようにしたが、予めフレームと編集手法で一組の組み合わせになっているものを選択するように構成してもよい。
【００３５】
画像編集部５６は、画像選択部５５により選択されたフレームと、編集手法に基づいて選択された画像とを用いて、コラージュ画像を生成する。具体的には、画像編集部５６は、図２に示すように、フレームと編集手法によって選択された画像からコラージュ画像を生成する。
また、画像編集部５６は、コラージュ画像を表示させるように出力部１８を制御する。ユーザは、出力部１８に表示されたコラージュ画像を確認して、当該コラージュ画像を記憶するか否かを判断する。
ユーザの指示により、表示されたコラージュ画像を記憶させたい場合には、画像編集部５６は、生成されたコラージュ画像を画像記憶部７１に記憶させる。
【００３６】
図４は、図３の機能的構成を有する図１の撮像装置１が実行する画像生成処理の流れを説明するフローチャートである。
画像生成処理は、ユーザによる入力部１７への画像生成処理開始の操作により開始される。
また、画像生成処理における前段階として、画像取得部５１により撮像部１６又は外部を介して画像が取得され、当該取得した画像は画像記憶部７１に記憶される。そして、画像記憶部７１に記憶された画像に対して、画像管理部５２により、ＳＮＳにアップロードされた場合、画像が再生された場合、お気に入りの設定がされた場合に、画像情報記憶部７２に、アップロードの有無、再生回数・時間や再生時の状況、お気に入りの設定の有無等の使用情報が画像毎に記憶される。
【００３７】
ステップＳ１において、画像取得部５１は、撮像部１６又は外部のネットワークを介して画像を取得し、当該取得した画像を画像記憶部７１に記憶させる。
【００３８】
ステップＳ２において、画像分別部５３は、画像記憶部７１に記憶された複数の画像がグループに分別されているか否かを判定する。
グループに分別されていない場合には、ステップＳ２においてＮＯと判定されて、処理はステップＳ３に進む。
グループに分別されている場合には、ステップＳ２においてＹＥＳと判定されて、処理はステップＳ４に進む。
【００３９】
ステップＳ３において、画像分別部５３は、グループ分別処理を実行する。その結果、画像記憶部７１に記憶された複数の画像が複数のグループに分別される。なお、グループ分別処理の詳細な流れについては後述する。
【００４０】
ステップＳ４において、画像評価部５４は、画像評価処理を実行する。その結果、グループ毎に分別された複数の画像への評価が決定される。なお、画像評価処理の詳細な流れについては後述する。
【００４１】
ステップＳ５において、画像選択部５５は、画像選択処理を実行する。その結果、コラージュ画像に用いる背景画像のフレームと、編集手法と、コラージュ画像に用いる画像が選択される。なお、画像選択処理の詳細な流れについては後述する。
【００４２】
ステップＳ６において、画像編集部５６は、画像編集処理を実行する。その結果、選択された複数の画像から、１枚のコラージュ画像が生成される。なお、画像編集処理の詳細な流れについては後述する。
その後、画像生成処理は終了する。
【００４３】
図５は、画像生成処理のうち、グループ分別処理の流れを説明するフローチャートである。
【００４４】
ステップＳ２１において、画像分別部５３は、撮影日時と撮影場所の両方を基準として判断し、画像記憶部７１に記憶された複数の画像を複数のグループに分別するか否かを判定する。
撮影日時と撮影場所を基準として判断し、画像記憶部７１に記憶された複数の画像を複数のグループに分別しない場合には、ステップＳ２１においてＮＯと判定されて、処理はステップＳ２７に進む。ステップＳ２７以降の処理は、後述する。
撮影日時と撮影場所の両方を基準として判断し、画像記憶部７１に記憶された複数の画像を複数のグループに分別する場合には、処理はステップＳ２１においてＹＥＳと判定されて、ステップＳ２２に進む。
【００４５】
ステップＳ２２において、画像分別部５３は、コラージュ画像作成に使用する画像の撮影日時の範囲を指定するか否かを判定する。
コラージュ画像作成に使用する画像の撮影日時の範囲を指定しない場合には、ステップＳ２２においてＮＯと判定されて、処理はステップＳ２４に進む。ステップＳ２４以降の処理は後述する。
コラージュ画像作成に使用する画像の撮影日時の範囲を指定する場合には、ステップＳ２２においてＹＥＳと判定されて、処理はステップＳ２３に進む。
【００４６】
ステップＳ２３において、画像分別部５３は、コラージュ画像作成に使用する画像の撮影日時の範囲を指定し、該当しない画像を候補から外す。
具体的には、撮影日時の範囲として、年単位、月単位、週単位、日単位あるいは時間単位の何れかの単位を指定するためメニュー表示を行うよう出力部１８を制御し、当該メニュー表示中にユーザ操作により何れかの単位を指定する。また、当該撮影日時の範囲として、メニュー表示中に指定された単位から、特定の期間（日単位の場合、特定の日付）をユーザ操作により指定する。このとき、複数の期間（日単位の場合、複数の日付）を撮影日時の範囲としてユーザ操作により指定できるようにしても良い。
また、当該指定の際には、同種の単位間に限らず、異なる単位間（例えば、日単位と週単位）で撮影日時の範囲を指定するようにしても良い。
【００４７】
ステップＳ２４において、画像分別部５３は、コラージュ画像作成に使用する画像の撮影場所の範囲を指定するか否かを判定する。
コラージュ画像作成に使用する画像の撮影場所の範囲を指定しない場合には、ステップＳ２４においてＮＯと判定されて、処理はステップＳ２６に進む。
コラージュ画像作成に使用する画像の撮影場所の範囲を指定する場合には、ステップＳ２４においてＹＥＳと判定されて、処理はステップＳ２５に進む。
【００４８】
ステップＳ２５において、画像分別部５３は、コラージュ画像作成に使用する画像の撮影場所の範囲を指定し、該当しない画像を候補から外す。
具体的には、撮影場所の範囲として、国単位あるいは地域単位の何れかの単位を指定するためメニュー表示を行うよう出力部１８を制御し、当該メニュー表示中にユーザ操作により何れかの単位を指定する。また、当該撮影場所の範囲として、メニュー表示中に指定された単位から、特定の地域（地域単位の場合、特定の地域）をユーザ操作により指定する。このとき、複数の地域（国単位の場合、複数の国）を撮影場所の範囲としてユーザ操作により指定できるようにしても良い。
また、当該指定の際には、同種の単位間に限らず、異なる単位間（例えば、国単位と県単位）で撮影場所の範囲を指定するようにしても良い。
【００４９】
ステップＳ２６において、画像分別部５３は、撮影日時と撮影場所の両方を基準として判断し、画像記憶部７１に記憶された複数の画像を複数のグループに分別する。具体的には、画像分別部５３は、例えば、画像記憶部７１に記憶された複数の画像のうち、撮影日時と撮影場所が近似している画像同士を規定数ずつ複数のグループに分別する。
その後、処理は画像生成処理に戻る。
【００５０】
これに対して、撮影日時と撮影場所の両方を基準として判断し、画像記憶部７１に記憶された複数の画像を複数のグループに分別しない場合には、処理はステップＳ２１においてＮＯと判定されて、ステップＳ２３に進む。
【００５１】
ステップＳ２７において、画像分別部５３は、画像記憶部７１に記憶された複数の画像を、撮影日時を基準として複数のグループに分別するか否かを判定する。
撮影日時を基準として画像記憶部７１に記憶された複数の画像を複数のグループに分別する場合には、処理はステップＳ２７においてＹＥＳと判定されて、ステップＳ２８に進む。
【００５２】
ステップＳ２８において、画像分別部５３は、コラージュ画像作成に使用する画像の撮影日時の範囲を指定するか否かを判定する。
コラージュ画像作成に使用する画像の撮影日時の範囲を指定しない場合には、ステップＳ２８においてＮＯと判定されて、処理はステップＳ３０に進む。ステップＳ３０以降の処理は後述する。
コラージュ画像作成に使用する画像の撮影日時の範囲を指定する場合には、ステップＳ２８においてＹＥＳと判定されて、処理はステップＳ２９に進む。
【００５３】
ステップＳ２９において、画像分別部５３は、コラージュ画像作成に使用する画像の撮影日時の範囲を指定し、該当しない画像をコラージュ画像に使用される候補から外す。
【００５４】
ステップＳ３０において、画像分別部５３は、画像記憶部７１に記憶された複数の画像のうち、撮影日時が近い画像同士を規定数ずつ複数のグループに分別する。
その後、処理は画像生成処理に戻る。
【００５５】
これに対して、撮影日時を基準として、画像記憶部７１に記憶された複数の画像を複数のグループに分別しない場合には、処理はステップＳ２７においてＮＯと判定されて、ステップＳ３１に進む。
【００５６】
ステップＳ３１において、画像分別部５３は、撮影場所を基準として、画像記憶部７１に記憶された複数の画像を複数のグループに分別するか否かを判定する。
撮影場所を基準として、画像記憶部７１に記憶された複数の画像を複数のグループに分別する場合には、ステップＳ３１においてＹＥＳと判定されて、処理はステップＳ３２に進む。
【００５７】
ステップＳ３２において、画像分別部５３は、コラージュ画像作成に使用する画像の撮影場所の範囲を指定するか否かを判定する。
コラージュ画像作成に使用する画像の撮影場所の範囲を指定しない場合には、ステップＳ３２においてＮＯと判定されて、処理はステップＳ３４に進む。
コラージュ画像作成に使用する画像の撮影場所の範囲を指定する場合には、ステップＳ３２においてＹＥＳと判定されて、処理はステップＳ３３に進む。
【００５８】
ステップＳ３３において、画像分別部５３は、コラージュ画像作成に使用する画像の撮影場所の範囲を指定し、該当しない画像をコラージュ画像に使用される候補から外す。
【００５９】
ステップＳ３４において、画像分別部５３は、画像記憶部７１に記憶された複数の画像のうち、撮影場所が近い画像同士を規定数ずつ複数のグループに分別する。
その後、処理は画像生成処理に戻る。
【００６０】
これに対して、画像記憶部７１に記憶された複数の画像を、撮影場所を基準として複数のグループに分別しない場合には、処理はステップＳ３１においてＮＯと判定されて、処理はステップＳ３５に進む。
【００６１】
ステップＳ３５において、画像分別部５３は、画像記憶部７１に記憶された複数の画像をランダムに規定数ずつ複数のグループに分別する。
その後、処理は画像生成処理に戻る。
【００６２】
図６は、画像生成処理のうち、画像評価処理の流れを説明するフローチャートである。
【００６３】
ステップＳ４１において、画像評価部５４は、画像分別部５３により分別された複数のグループ内にＳＮＳにアップロードした画像があるか否かを判定する。即ち、画像評価部５４は、画像情報記憶部７２に記憶される各画像の使用情報を参照して、ＳＮＳにアップロードされた画像があるか否かを判定する。
分別された複数のグループ内にＳＮＳにアップロードされた画像がない場合には、処理はステップＳ４１においてＮＯと判定されて、ステップＳ４３に進む。ステップＳ４３以降の処理については後述する。
分別された複数のグループ内にＳＮＳにアップロードされた画像がある場合には、処理はステップＳ４１においてＹＥＳと判定されて、ステップＳ４２に進む。
【００６４】
ステップＳ４２において、画像評価部５４は、分別された複数のグループ内の複数の画像のうち、ＳＮＳにアップロードされた画像を高く評価する。
【００６５】
ステップＳ４３において、画像評価部５４は、分別された複数のグループ内の複数の画像を再生時間から評価するか否かを判定する。
再生時間から評価しない場合には、処理はステップＳ４３においてＮＯと判定されて、ステップＳ４６に進む。ステップＳ４６以降の処理については後述する。
分別された複数のグループ内の複数の画像を再生時間から評価する場合には、処理はステップＳ４３においてＹＥＳと判定されて、ステップＳ４４に進む。
【００６６】
ステップＳ４４において、画像評価部５４は、再生中にユーザが画面を見ていたか否かを判定する。即ち、画像評価部５４は、画像情報記憶部７２に記憶される各画像の使用情報（再生中に装置の挙動や操作状況からユーザが画面を見ていたと判断された情報）を参照して、再生中にユーザが画面を見ていた画像があるか否かを判定する。
再生中にユーザが画面を見ていない場合には、処理はステップＳ４４においてＮＯと判定されて、ステップＳ４８に進む。ステップＳ４８以降の処理は後述する。
再生中にユーザが画面を見ている場合には、処理はステップＳ４４においてＹＥＳと判定されて、ステップＳ４５に進む。
【００６７】
ステップＳ４５において、画像評価部５４は、再生中にユーザが画面を見ていた画像のうちでさらに、画像情報記憶部７２に記憶される各画像の使用情報（再生時間の情報）を参照して、再生時間の長い画像を高く評価する。その後処理はステップＳ４８に進む。
【００６８】
ステップＳ４６において、画像評価部５４は、分別された複数のグループ内の複数の画像を各画像の再生回数から評価するか否かを判定する。即ち、画像評価部５４は、画像情報記憶部７２に記憶される各画像の使用情報（再生時間の情報）を参照して、分別された複数のグループ内の複数の画像を再生回数から評価するか否かを判定する。
分別された複数のグループ内の複数の画像を再生回数から評価しない場合には、処理はステップＳ４６においてＮＯと判定されて、ステップＳ４８に進む。
分別された複数のグループ内の複数の画像を再生回数から評価する場合には、処理はステップＳ４６においてＹＥＳと判定されて、ステップＳ４７に進む。
【００６９】
ステップＳ４７において、画像評価部５４は、分別された複数のグループ内の複数の画像において、再生回数の多い画像を高く評価する。その後処理はステップＳ４８に進む。
【００７０】
ステップＳ４８において、画像評価部５４は、お気に入り設定がすでにされている画像（以下、「お気に入り画像」という。）が分別された複数のグループ内の複数の画像にあるか否かを判定する。即ち、画像評価部５４は、画像情報記憶部７２に記憶される各画像の使用情報（お気に入り設定の有無の情報）を参照して、再生回数から評価するか否かを判定する。
分別された複数のグループ内の複数の画像にお気に入り画像がない場合には、処理はステップＳ４８においてＮＯと判定されて、画像生成処理に戻る。
分別された複数のグループ内の複数の画像にお気に入り画像がある場合には、処理はステップＳ４８においてＹＥＳと判定されて、ステップＳ４９に進む。
【００７１】
ステップＳ４９において、画像評価部５４は、分別された複数のグループ内の複数の画像の中のお気に入り画像を高く評価する。その後、処理は画像生成処理に戻る。
【００７２】
図７は、画像生成処理のうち、画像選択処理の流れを説明するフローチャートである。
【００７３】
ステップＳ６１において、画像選択部５５は、編集情報記憶部７３を参照して、画像の枚数・サイズ等に関する編集手法・フレームを選択する。具体的には、画像選択部５５は、コラージュ画像の背景画像に使用するフレームを選択し、サイズの大きい順や中央の配置に近い順に評価の高い画像を用いる編集手法を選択する。
【００７４】
ステップＳ６２において、画像選択部５５は、画像評価部５４の評価結果より、分別された複数のグループ内の各グループから評価の高い画像を順番に選択する。
【００７５】
ステップＳ６３において、画像選択部５５は、選択された複数の画像の枚数が規定枚数に達したか否かを判定する。図２の例の場合、画像選択部５５は、選択された複数の画像の枚数が６枚の規定枚数に達したか否かを判定する。
選択された複数の画像の枚数が規定枚数に達していない場合には、ステップＳ６３においてＮＯと判定されて、処理はステップＳ６２に戻る。
選択された複数の画像の枚数が規定枚数に達した場合には、ステップＳ６３においてＹＥＳと判定されて、処理は画像生成処理に戻る。
【００７６】
図８は、画像生成処理のうち、画像編集処理の流れを説明するフローチャートである。
【００７７】
ステップＳ８１において、画像編集部５６は、編集情報記憶部７３を参照し、画像選択部５５により選択された複数の画像が、画像評価部５４における評価結果によって、画像選択部５５により選択されたフレーム内での画像の配置が換わるか否かを判定する。即ち、画像編集部５６は、編集情報記憶部７３に記憶される評価によって配置を換えるか否かの情報を参照して、当該複数画像が当該フレーム内での配置が換わるか否かを判定する。
画像評価部５４での評価によって、画像選択部５５で選択されたフレーム内での画像の配置が換わる場合には、ステップＳ８１においてＹＥＳと判定されて、処理はステップＳ８２に進む。
【００７８】
ステップＳ８２において、画像編集部５６は、選択された複数の画像を、画像評価部５４での評価結果の高い画像から順に画像選択部５５で選択されたフレーム内に配置する。具体的には、画像編集部５６は、図２の例の場合、画像評価部５４での評価結果の高い画像を中央から外側へ順に画像選択部５５で選択されたフレーム内に配置する。
【００７９】
これに対して、画像評価部５４での評価結果によって、画像選択部５５により選択されたフレーム内で画像の配置が換わらない場合には、ステップＳ８１においてＮＯと判定されて、処理はステップＳ８３に進む。
【００８０】
ステップＳ８３において、画像編集部５６は、画像選択部５５において選択された複数の画像を、画像選択部５５で選択されたフレーム内にランダムに配置する。
【００８１】
ステップＳ８４において、画像編集部５６は、画像選択部５５で選択されたフレーム内に配置した画像を表示させるように出力部１８を制御する。その結果、出力部１８には、画像選択部５５で選択されたフレーム内に配置した画像が表示される。具体的には、出力部１８に、図２の例に示すような画像編集部５６で編集されたコラージュ画像が表示される。
【００８２】
ステップＳ８５において、画像編集部５６は、画像を保存するか否かを判定する。
画像を保存しない場合には、ステップＳ８５においてＮＯと判定されて、処理はステップＳ８７に進む。ステップＳ８７以降の処理は、後述する。
画像を保存する場合には、ステップＳ８５においてＹＥＳと判定されて、処理はステップＳ８６に進む。
【００８３】
ステップＳ８６において、画像編集部５６は、画像編集部５６で編集されたコラージュ画像を画像記憶部７１に記憶させる。
【００８４】
ステップＳ８７において、画像編集部５６は、ユーザによる画像編集を終了する旨の操作の入力に基づいて、画像編集を終了するか否かを判定する。
画像編集を終了しない場合には、ステップＳ８７においてＮＯと判定されて、処理はステップＳ２（図４）に戻り、再びステップＳ２以降の処理が行われる。
画像編集を終了する場合には、ステップＳ８７においてＹＥＳと判定されて、画像生成処理に戻り、画像生成処理が終了する。
【００８５】
以上のように構成される撮像装置１は、画像取得部５１と、画像選択部５５と、画像編集部５６と、を備える。
画像取得部５１は、インターネット、及び携帯型記憶媒体の何れかから複数の画像を取得する。
画像選択部５５は、画像取得部５１により取得された複数の画像の使用に関する付帯情報に基づいて、複数の画像から所定数の画像を選択する。
画像編集部５６は、画像選択部５５により選択された所定数の画像から、コラージュ画像を生成する。
これにより、撮像装置１においては、複数の画像から使用に関する付帯情報に基づいて、自動的に新たな画像に用いる画像を選択することができるために、ユーザの画像選択の負担を減らすことができる。即ち、撮像装置１では、複数の画像から合成画像を生成する際の画像を選択する際にユーザの負担を軽減させることができる。
【００８６】
撮像装置１は、画像取得部５１により取得された複数の画像の付帯情報を評価する画像評価部５４を更に備える。
画像選択部５５は、画像評価部５４による評価結果に基づいて、複数の画像から所定数の画像を選択する。
これにより、撮像装置１においては、画像を評価した結果に基づいて、複数の画像から画像を選択するため、ユーザの所望する画像で構成されたコラージュ画像を生成することができる。
【００８７】
画像評価部５４は、複数の画像の各々が過去に再生された回数を付帯情報として評価する。
これにより、撮像装置１においては、ユーザが所望している蓋然性が高いと推察される過去に再生された回数を評価基準とすることで、よりユーザの所望する画像で構成されたコラージュ画像を生成することができる。
【００８８】
画像評価部５４は、複数の画像の各々が過去に再生された時間の長さを付帯情報として評価する。
これにより、撮像装置１においては、ユーザが所望している蓋然性が高いと推察される過去に再生された時間の長さを評価基準とすることで、よりユーザの所望する画像で構成されたコラージュ画像を生成することができる。
【００８９】
画像評価部５４は、複数の画像の各々の再生時に当該画像に対する操作指示を検出したか否かを判定し、画像評価部５４は、再生時に当該画像が操作指示を検出したと判定された画像の過去に再生された時間の長さを評価する。
これにより、撮像装置１においては、当該画像が再生されていても、実際に視認していない画像についてはユーザが所望していない可能性が高いため、実際に視認されていると判定された画像のみを評価の対象にすることで、よりユーザの所望する画像で構成されたコラージュ画像を生成することができる。
【００９０】
また、撮像装置１は、インターネット、及び携帯型記憶媒体の何れかから取得した複数の画像から、ユーザが気に入った画像を指定する等の外部操作に基づき、特定の情報を付加する入力部１７を更に備える。
画像評価部５４は、入力部１７によりユーザにお気に入り画像だと指定等されて特定の情報付加された画像を入力部１７により特定の情報付加されない画像と比べて高く評価する。
これにより、撮像装置１においては、ユーザが気に入ったという意思表示を行った画像の評価を高くするため、よりユーザの所望する画像で構成されたコラージュ画像を生成することができる。
【００９１】
また、撮像装置１は、複数の画像の夫々の付帯情報を画像評価部５４で評価し、その結果から、複数の画像を複数のグループに分別する画像分別部５３を更に備える。
画像選択部５５は、画像分別部５３により分別された複数のグループの各々から所定数の画像を選択する。
これにより、撮像装置１においては、所定の基準で分別されたグループの中から画像評価部５４の評価結果から、画像選択部５５により画像を選択するため、ユーザは変化に富んだ画像を選択することができる。
【００９２】
画像分別部５３は、複数の画像の撮影日時及び撮影場所の何れかに基づいて、複数の画像を相異なるグループに分別する。
これにより、撮像装置１において、ユーザは様々な撮影日時及び撮影場所の付帯情報を持つ画像を選択することができ、相異なるグループに分別された複数の画像から、より変化に富んだ画像を選択することができる。
【００９３】
画像分別部５３は、複数の画像に関連付けられた複数の撮影日時から特定の撮影日時の範囲を指定する。
画像分別部５３は、指定された特定の撮影日時の範囲と、複数の付帯情報とに基づいて、複数の画像を複数のグループに分別する。
これにより、撮像装置１においては、特定の撮影日時の範囲に基づいて、複数の画像を複数のグループに分別することができるために、同種の内容を含む画像を選択することができる。
【００９４】
画像分別部５３は、撮影日時の範囲の単位を選択する。
また、画像分別部５３は、選択された単位における複数の期間を撮影日時の範囲として指定する。
これにより、撮像装置１においては、撮影日時の範囲の単位を選択することができるために、より同種の内容を含む画像を選択することができる。
【００９５】
画像分別部５３は、複数の画像に関連付けられた複数の撮影日時から特定の撮影日時の範囲を指定する。
画像分別部５３は、指定された特定の撮影日時の範囲と、複数の付帯情報とに基づいて、複数の画像を複数のグループに分別する。
これにより、撮像装置１においては、特定の撮影場所の範囲に基づいて、複数の画像を複数のグループに分別することができるために、同種の内容を含む画像を選択することができる。
【００９６】
画像分別部５３は、撮影場所の範囲の単位を選択する。
また、画像分別部５３は、選択された単位における複数の地域又は国を撮影場所の範囲として指定する。
これにより、撮像装置１においては、より同種の内容を含む画像を選択することができる。
【００９７】
画像取得部５１は、インターネット、又は携帯型記憶媒体の何れかから複数の画像を取得する。
これにより、撮像装置１においては、例えば、インターネットを介したり、携帯型記憶媒体を介したりして、外部から取得した複数の画像を用いて、コラージュ画像を生成することができる。
【００９８】
画像編集部５６は、画像選択部５５により選択された所定数の画像の各々が複数の領域に反映された静止画像を生成する。
これにより、撮像装置１においては、例えば、コラージュ画像等の静止画像を生成することができる。
【００９９】
なお、本発明は、上述の実施形態に限定されるものではなく、本発明の目的を達成できる範囲での変形、改良等は本発明に含まれるものである。
【０１００】
上述の実施形態では、静止画像であるコラージュ画像を生成するように構成したが、スライドショーの再生や選択した画像をフレーム画像とする動画像として生成するように構成することができる。
具体的には、図９の例に示すように、動画像の場合には、複数の画像から、使用情報に基づいた評価結果によって選択された画像をフレーム画像として動画像を生成する。この際、上述の実施形態と同様の観点で、画像評価の前段階で複数の画像を分別したり、評価結果に応じて当該画像の再生順番を変更したり、再生時間を長くするように構成したりしてもよい。また、評価結果に応じて、当該画像の再生時の画像間効果を付加するように構成してもよい。
なお、生成したコラージュ画像は、画像の選択も含めて事後的に編集できるように構成してもよい。
【０１０１】
また、上述の実施形態では、分別されたグループから評価結果の高い画像から順番に選択するようにしたが、分別されたグループ、及び評価結果に関わらず画像編集に使用する複数画像を選択しても良い。
【０１０２】
また、上述の実施形態では、使用情報は、別途画像情報記憶部７２に記憶させるように構成したが、画像のＥＸＩＦ（Ｅｘｃｈａｎｇｅａｂｌｅ  ｉｍａｇｅ  ｆｉｌｅ  ｆｏｒｍａｔ）情報領域等の画像自体に記憶させるように構成してもよい。
【０１０３】
また、上述の実施形態では、画像の評価は、画像取得後における画像の使用に基づいて行ったが、撮影時の状態や画像内の被写体を評価の対象として構成してもよい。
具体的には、画像の評価・選択に関して、画像サイズ、アスペクト比、露光時間、ＡＦ（Ａｕｔｏ  Ｆｏｃｕｓ）、ＡＥ（Ａｕｔｏｍａｔｉｃ  Ｅｘｐｏｓｕｒｅ）、撮影シーン判定結果、撮影モード、顔の検出数・サイズ・位置等の撮影情報を用いるように構成してもよい。
【０１０４】
また、上述の実施形態では、本例では、図２に示す例を用いたが、複数のフレームと、種々の編集手法の中からユーザが選択するように構成してもよい。
【０１０５】
また、上述の実施形態では、評価の程度によって、選択対象から除外するように構成してもよい。
【０１０６】
また、上述の実施形態では、本発明が適用される撮像装置１は、デジタルカメラを例として説明したが、特にこれに限定されない。
例えば、本発明は、画像生成処理機能を有する電子機器一般に適用することができる。具体的には、例えば、本発明は、ノート型のパーソナルコンピュータ、プリンタ、テレビジョン受像機、ビデオカメラ、携帯型ナビゲーション装置、携帯電話機、スマートフォン、ポータブルゲーム機等に適用可能である。
【０１０７】
上述した一連の処理は、ハードウェアにより実行させることもできるし、ソフトウェアにより実行させることもできる。
換言すると、図３の機能的構成は例示に過ぎず、特に限定されない。即ち、上述した一連の処理を全体として実行できる機能が撮像装置１に備えられていれば足り、この機能を実現するためにどのような機能ブロックを用いるのかは特に図３の例に限定されない。
また、１つの機能ブロックは、ハードウェア単体で構成してもよいし、ソフトウェア単体で構成してもよいし、それらの組み合わせで構成してもよい。
【０１０８】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【０１０９】
このようなプログラムを含む記録媒体は、ユーザにプログラムを提供するために装置本体とは別に配布される図１のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図１のＲＯＭ１２や、図１の記憶部１９に含まれるハードディスク等で構成される。
【０１１０】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
【０１１１】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【０１１２】
以下に、本願の出願当初の特許請求の範囲に記載された発明を付記する。
［付記１］
複数の画像を取得する画像取得手段と、
前記画像取得手段により取得された複数の画像の使用に関する付帯情報に基づいて、前記複数の画像から所定数の画像を選択する選択手段と、
前記選択手段により選択された所定数の画像から、新たな画像を生成する生成手段と、
を備えたことを特徴とする画像処理装置。
［付記２］
前記画像取得手段により取得された複数の画像の付帯情報を評価する評価手段を更に備え、
前記選択手段は、前記評価手段による評価結果に基づいて、前記複数の画像から所定数の画像を選択する、
ことを特徴とする付記１に記載の画像処理装置。
［付記３］
前記評価手段は、前記複数の画像の各々が過去に再生された回数を前記付帯情報として評価する、
ことを特徴とする付記２に記載の画像処理装置。
［付記４］
前記評価手段は、前記複数の画像の各々が過去に再生された時間の長さを前記付帯情報として評価する、
ことを特徴とする付記２に記載の画像処理装置。
［付記５］
前記複数の画像の各々の再生時に当該画像に対するユーザ操作を検出したか否かを判定する判定手段を更に備え、
前記評価手段は、前記判定手段により前記ユーザ操作を検出したと判定された画像の再生された時間の長さを評価する、
ことを特徴とする付記４に記載の画像処理装置。
［付記６］
前記複数の画像から、外部操作に基づき、特定の情報を付加する付加手段を更に備え、
前記評価手段は、前記付加手段により特定の情報を付加された画像を前記付加手段により特定の情報を付加されない画像と比べて高く評価する、
ことを特徴とする付記２から５の何れか１つに記載の画像処理装置。
［付記７］
前記複数の画像の夫々に対応付けられた複数の付帯情報に基づいて、前記複数の画像を複数のグループに分別する分別手段を更に備え、
前記選択手段は、前記分別手段により分別された前記複数のグループの各々から所定数の画像を選択する、
ことを特徴とする付記１から６の何れか１つに記載の画像処理装置。
［付記８］
前記分別手段は、前記複数の画像の撮影日時及び撮影場所の何れかに基づいて、前記複数の画像を相異なるグループに分別する、
ことを特徴とする付記７に記載の画像処理装置。
［付記９］
前記複数の画像に関連付けられた複数の撮影日時から特定の撮影日時の範囲を指定する第一の指定手段を更に備え、
前記分別手段は、前記第一の指定手段により指定された特定の撮影日時の範囲と、前記複数の付帯情報とに基づいて、前記複数の画像を複数のグループに分別する、
ことを特徴とする付記７又は８に記載の画像処理装置。
［付記１０］
前記撮影日時の範囲の単位を選択する単位選択手段を更に備え、
前記第一の指定手段は、
前記単位選択手段により選択された単位における複数の期間を前記撮影日時の範囲として指定する、
ことを特徴とする付記９に記載の画像処理装置。
［付記１１］
前記複数の画像に関連付けられた複数の撮影場所から特定の撮影場所の範囲を指定する第二の指定手段を更に備え、
前記分別手段は、前記第二の指定手段により指定された特定の撮影場所の範囲と、前記複数の付帯情報とに基づいて、前記複数の画像を複数のグループに分別する、
ことを特徴とする付記７から１０の何れか１つに記載の画像処理装置。
［付記１２］
前記撮影場所の範囲の単位を選択する単位選択手段を更に備え、
前記第二の指定手段は、
前記単位選択手段により選択された単位における複数の地域又は国を前記撮影場所の範囲として指定する、
ことを特徴とする付記１１に記載の画像処理装置。
［付記１３］
前記画像取得手段は、インターネット、又は携帯型記憶媒体の何れかから前記複数の画像を取得する、
ことを特徴とする付記１から１２の何れか１つに記載の画像処理装置。
［付記１４］
前記生成手段は、前記選択手段により選択された所定数の画像の各々が複数の領域に反映された静止画像を生成する、
ことを特徴とする付記１から１３の何れか１つに記載の画像処理装置。
［付記１５］
前記生成手段は、前記選択手段により選択された所定数の画像から、動画像を生成する、
ことを特徴とする付記１から１４の何れか１つに記載の画像処理装置。
［付記１６］
複数の画像を取得する画像取得ステップと、
前記画像取得ステップにより取得された複数の画像の使用に関する付帯情報に基づいて、前記複数の画像から所定数の画像を選択する選択ステップと、
前記選択ステップにより選択された所定数の画像から、新たな画像を生成する生成ステップと、
を含むことを特徴とする画像処理方法。
［付記１７］
コンピュータを、
複数の画像を取得する画像取得手段、
前記画像取得手段により取得された複数の画像の使用に関する付帯情報に基づいて、前記複数の画像から所定数の画像を選択する選択手段、
前記選択手段により選択された所定数の画像から、新たな画像を生成する生成手段、
として機能させることを特徴とするプログラム。
【符号の説明】
【０１１３】
１・・・撮像装置，１１・・・ＣＰＵ，１２・・・ＲＯＭ，１３・・・ＲＡＭ，１４・・・バス，１５・・・入出力インターフェース，１６・・・撮像部，１７・・・入力部，１８・・・出力部，１９・・・記憶部，２０・・・通信部，２１・・・ドライブ，３１・・・リムーバブルメディア，５１・・・画像取得部，５２・・・画像管理部，５３・・・画像分別部，５４・・・画像評価部，５５・・・画像選択部，５６・・・画像編集部，７１・・・画像記憶部，７２・・・画像情報記憶部，７３・・・編集情報記憶部
【図１】
2016058923.tif 000003
【図２】
2016058923.tif 000004
【図３】
2016058923.tif 000005
【図４】
2016058923.tif 000006
【図５】
2016058923.tif 000007
【図６】
2016058923.tif 000008
【図７】
2016058923.tif 000009
【図８】
2016058923.tif 000010
【図９】
2016058923.tif 000011